【手続補正書】
【提出日】平成19年2月19日(2007.2.19)
【手続補正１】
【補正対象書類名】明細書
【補正対象項目名】発明の名称
【補正方法】変更
【補正の内容】
【発明の名称】音楽データの配信方法、配信システム、端末装置および配信センタ
【手続補正２】
【補正対象書類名】明細書
【補正対象項目名】特許請求の範囲
【補正方法】変更
【補正の内容】
【特許請求の範囲】
【請求項１】  端末装置により配信センタに、所望とするリクエスト曲を示すリクエスト曲情報、および現在位置を示す位置情報を含むリクエストデータを送信し、
前記配信センタは、前記リクエストデータを受信し、前記端末装置に、前記リクエスト曲情報に対応する音楽データを入手可能な施設に関する施設情報を送信し、
前記端末装置は、前記施設情報を受信した場合、前記施設情報に基づいて、前記施設まで経路案内を行うことを特徴とする音楽データの配信方法。
【請求項２】  所望とするリクエスト曲を示すリクエスト曲情報、および現在位置を示す位置情報を含むリクエストデータを送信する端末装置と、
前記リクエストデータを受信し、前記端末装置に、前記リクエスト曲情報に対応する音楽データを入手可能な施設に関する施設情報を送信する配信センタと、を備え、
前記端末装置は、前記施設情報を受信した場合、前記施設情報に基づいて、前記施設まで経路案内を行うことを特徴とする音楽データの配信システム。
【請求項３】  所望とするリクエスト曲を示すリクエスト曲情報、および現在位置を示す位置情報を含むリクエストデータを配信センタに送信するとともに、前記配信センタから、前記リクエスト曲情報に対応する音楽データを入手可能な施設に関する施設情報を受信する端末装置であって、
前記施設情報を受信した場合、前記施設情報に基づいて、前記施設まで経路案内を行うことを特徴とする端末装置。
【請求項４】  利用者が所望とするリクエスト曲を示すリクエスト曲情報、および該利用者の現在位置を示す位置情報を含むリクエストデータを受信するとともに、前記リクエスト曲情報に対応する音楽データを入手可能な施設に関する施設情報を端末装置に送信することを特徴とする配信センタ。
【請求項５】  前記リクエストデータは、前記端末装置および前記配信センタ間のデータ通信に関する通信情報を含み、
前記配信センタは、前記通信情報に基づいて、前記端末装置へ音楽データを配信するか、前記施設情報を送信するかを選択することを特徴とする請求項１記載の音楽データの配信方法。
【請求項６】  前記配信センタは、前記リクエストデータに基づき、前記リクエスト曲情報に対応する音楽データを、前記端末装置または前記施設に配信するか、または前記施設に在庫する媒体で提供するかを選択可能であることを特徴とする請求項１または５記載の音楽データの配信方法。
【請求項７】  前記配信センタは、前記位置情報から予め定める範囲内に存在する施設に前記音楽データの在庫がない場合、前記音楽データを前記予め定める範囲内に存在する施設に配信するか、または前記音楽データを在庫する他の施設から、前記予め定める範囲内に存在する施設に前記音楽データを転送させることを特徴とする請求項１，５，６のいずれか１つに記載の音楽データの配信方法。
【手続補正３】
【補正対象書類名】明細書
【補正対象項目名】０００１
【補正方法】変更
【補正の内容】
【０００１】
【発明の属する技術分野】
本発明は、自動車や鉄道などの交通機関に搭乗する利用者が音楽データの配信を受ける音楽データの配信方法、音楽データの配信システム、端末装置および配信センタに関する。
【手続補正４】
【補正対象書類名】明細書
【補正対象項目名】０００７
【補正方法】変更
【補正の内容】
【０００７】
本発明の目的は、たとえば交通機関に搭乗する利用者が迅速かつ容易に所望の音楽データの配信を受けることができる音楽データの配信方法、音楽データの配信システム、端末装置および配信センタを提供することである。
【手続補正５】
【補正対象書類名】明細書
【補正対象項目名】０００８
【補正方法】変更
【補正の内容】
【０００８】
【課題を解決するための手段】
本発明は、端末装置により配信センタに、所望とするリクエスト曲を示すリクエスト曲情報、および現在位置を示す位置情報を含むリクエストデータを送信し、
前記配信センタは、前記リクエストデータを受信し、前記端末装置に、前記リクエスト曲情報に対応する音楽データを入手可能な施設に関する施設情報を送信し、
前記端末装置は、前記施設情報を受信した場合、前記施設情報に基づいて、前記施設まで経路案内を行うことを特徴とする音楽データの配信方法である。
【手続補正６】
【補正対象書類名】明細書
【補正対象項目名】０００９
【補正方法】変更
【補正の内容】
【０００９】
本発明に従えば、端末装置によって配信センタに、所望とするリクエスト曲を示すリクエスト曲情報、および現在位置を示す位置情報を含むリクエストデータが送信される。端末装置からのリクエストデータを受信した配信センタは、端末装置に、リクエスト曲情報に対応する音楽データを入手可能な施設に関する施設情報を送信する。配信センタからの施設情報を受信した端末装置は、施設情報に基づいて、施設まで経路案内を行う。このように端末装置は、施設情報に基づいて、音楽データを入手可能な施設まで経路案内するので、利用者は迅速かつ容易に施設に到達することができ、所望の音楽データを入手することができる。
【手続補正７】
【補正対象書類名】明細書
【補正対象項目名】００１０
【補正方法】変更
【補正の内容】
【００１０】
また本発明は、所望とするリクエスト曲を示すリクエスト曲情報、および現在位置を示す位置情報を含むリクエストデータを送信する端末装置と、
前記リクエストデータを受信し、前記端末装置に、前記リクエスト曲情報に対応する音楽データを入手可能な施設に関する施設情報を送信する配信センタと、を備え、
前記端末装置は、前記施設情報を受信した場合、前記施設情報に基づいて、前記施設まで経路案内を行うことを特徴とする音楽データの配信システムである。
【手続補正８】
【補正対象書類名】明細書
【補正対象項目名】００１１
【補正方法】変更
【補正の内容】
【００１１】
本発明に従えば、端末装置は、所望とするリクエスト曲を示すリクエスト曲情報、および現在位置を示す位置情報を含むリクエストデータを送信する。配信センタは、端末装置からのリクエストデータを受信し、端末装置に、前記リクエスト曲情報に対応する音楽データを入手可能な施設に関する施設情報を送信する。端末装置は、配信センタからの施設情報を受信した場合、施設情報に基づいて、前記施設まで経路案内を行う。このように端末装置は、施設情報に基づいて、音楽データを入手可能な施設まで経路案内するので、利用者は迅速かつ容易に施設に到達することができ、所望の音楽データを入手することができる。
【手続補正９】
【補正対象書類名】明細書
【補正対象項目名】００１２
【補正方法】変更
【補正の内容】
【００１２】
また本発明は、所望とするリクエスト曲を示すリクエスト曲情報、および現在位置を示す位置情報を含むリクエストデータを配信センタに送信するとともに、前記配信センタから、前記リクエスト曲情報に対応する音楽データを入手可能な施設に関する施設情報を受信する端末装置であって、
前記施設情報を受信した場合、前記施設情報に基づいて、前記施設まで経路案内を行うことを特徴とする端末装置である。
【手続補正１０】
【補正対象書類名】明細書
【補正対象項目名】００１３
【補正方法】変更
【補正の内容】
【００１３】
本発明に従えば、端末装置は、所望とするリクエスト曲を示すリクエスト曲情報、および現在位置を示す位置情報を含むリクエストデータを配信センタに送信するとともに、前記配信センタから、前記リクエスト曲情報に対応する音楽データを入手可能な施設に関する施設情報を受信する。端末装置は、前記施設情報を受信した場合、前記施設情報に基づいて、前記施設まで経路案内を行う。このように端末装置は、施設情報に基づいて、音楽データを入手可能な施設まで経路案内するので、利用者は迅速かつ容易に施設に到達することができ、所望の音楽データを入手することができる。
【手続補正１１】
【補正対象書類名】明細書
【補正対象項目名】００１４
【補正方法】変更
【補正の内容】
【００１４】
また本発明は、利用者が所望とするリクエスト曲を示すリクエスト曲情報、および該利用者の現在位置を示す位置情報を含むリクエストデータを受信するとともに、前記リクエスト曲情報に対応する音楽データを入手可能な施設に関する施設情報を端末装置に送信することを特徴とする配信センタである。
【手続補正１２】
【補正対象書類名】明細書
【補正対象項目名】００１５
【補正方法】変更
【補正の内容】
【００１５】
本発明に従えば、配信センタは、利用者が所望とするリクエスト曲を示すリクエスト曲情報、および該利用者の現在位置を示す位置情報を含むリクエストデータを受信するとともに、前記利用者を前記リクエスト曲情報に対応する音楽データを入手可能な施設に関する施設情報を端末装置に送信する。配信センタが端末装置に施設情報を送信することによって、端末装置は施設情報に基づいて、音楽データを入手可能な施設まで経路案内することができる。これによって利用者は、迅速かつ容易に施設に到達することができ、所望の音楽データを入手することができる。
【手続補正１３】
【補正対象書類名】明細書
【補正対象項目名】００１６
【補正方法】変更
【補正の内容】
【００１６】
また本発明は、前記リクエストデータは、前記端末装置および前記配信センタ間のデータ通信に関する通信情報を含み、
前記配信センタは、前記通信情報に基づいて、前記端末装置へ音楽データを配信するか、前記施設情報を送信するかを選択することを特徴とする。
【手続補正１４】
【補正対象書類名】明細書
【補正対象項目名】００１７
【補正方法】変更
【補正の内容】
【００１７】
本発明に従えば、リクエストデータには、端末装置および配信センタ間のデータ通信に関する通信情報、たとえばデータ転送速度および現状のトラフィック量が含まれるので、配信センタでは、通信情報に基づいて、音楽データを転送する場合に要する時間などを予測することができる。これによって配信センタでは、端末装置へ音楽データを配信するか、施設情報を送信するかを容易に選択することができる。
【手続補正１５】
【補正対象書類名】明細書
【補正対象項目名】００１８
【補正方法】変更
【補正の内容】
【００１８】
また本発明は、前記配信センタは、前記リクエストデータに基づき、前記リクエスト曲情報に対応する音楽データを、前記端末装置または前記施設に配信するか、または前記施設に在庫する媒体で提供するかを選択可能であることを特徴とする。
【手続補正１６】
【補正対象書類名】明細書
【補正対象項目名】００１９
【補正方法】変更
【補正の内容】
【００１９】
本発明に従えば、利用者が要求する音楽データを記憶した媒体が在庫している施設、または音楽データの配信を受けることができる施設に利用者を案内して、迅速に音楽データの配信を受けることができるように選択することが可能となる。
【手続補正１７】
【補正対象書類名】明細書
【補正対象項目名】００２０
【補正方法】変更
【補正の内容】
【００２０】
また本発明は、前記配信センタは、前記位置情報から予め定める範囲内に存在する施設に前記音楽データの在庫がない場合、前記音楽データを前記予め定める範囲内に存在する施設に配信するか、または前記音楽データを在庫する他の施設から、前記予め定める範囲内に存在する施設に前記音楽データを転送させることを特徴とする。
【手続補正１８】
【補正対象書類名】明細書
【補正対象項目名】００２１
【補正方法】変更
【補正の内容】
【００２１】
本発明に従えば、利用者の現在位置に近い施設に、利用者が要求する音楽データの在庫がなくても、配信センタから利用者の現在位置に近い施設に音楽データを配信するか、または音楽データを在庫する他の施設から、利用者の現在位置に近い施設に音楽データを転送して、音楽データを配信または転送した施設を利用者に案内するので、利用者は所望の音楽データを確実に入手することができる。
【手続補正１９】
【補正対象書類名】明細書
【補正対象項目名】００２２
【補正方法】削除
【補正の内容】
【手続補正２０】
【補正対象書類名】明細書
【補正対象項目名】００２３
【補正方法】削除
【補正の内容】
【手続補正２１】
【補正対象書類名】明細書
【補正対象項目名】００２４
【補正方法】削除
【補正の内容】
【手続補正２２】
【補正対象書類名】明細書
【補正対象項目名】００２５
【補正方法】削除
【補正の内容】
【手続補正２３】
【補正対象書類名】明細書
【補正対象項目名】００２６
【補正方法】削除
【補正の内容】
【手続補正２４】
【補正対象書類名】明細書
【補正対象項目名】００２７
【補正方法】削除
【補正の内容】
【手続補正２５】
【補正対象書類名】明細書
【補正対象項目名】００２８
【補正方法】削除
【補正の内容】
【手続補正２６】
【補正対象書類名】明細書
【補正対象項目名】００２９
【補正方法】削除
【補正の内容】
【手続補正２７】
【補正対象書類名】明細書
【補正対象項目名】００３０
【補正方法】削除
【補正の内容】
【手続補正２８】
【補正対象書類名】明細書
【補正対象項目名】００３１
【補正方法】削除
【補正の内容】
【手続補正２９】
【補正対象書類名】明細書
【補正対象項目名】００３２
【補正方法】削除
【補正の内容】
【手続補正３０】
【補正対象書類名】明細書
【補正対象項目名】００３３
【補正方法】削除
【補正の内容】
【手続補正３１】
【補正対象書類名】明細書
【補正対象項目名】００３４
【補正方法】削除
【補正の内容】
【手続補正３２】
【補正対象書類名】明細書
【補正対象項目名】００３５
【補正方法】削除
【補正の内容】
【手続補正３３】
【補正対象書類名】明細書
【補正対象項目名】００３６
【補正方法】削除
【補正の内容】
【手続補正３４】
【補正対象書類名】明細書
【補正対象項目名】００３７
【補正方法】削除
【補正の内容】
【手続補正３５】
【補正対象書類名】明細書
【補正対象項目名】００３８
【補正方法】削除
【補正の内容】
【手続補正３６】
【補正対象書類名】明細書
【補正対象項目名】００３９
【補正方法】削除
【補正の内容】
【手続補正３７】
【補正対象書類名】明細書
【補正対象項目名】００４０
【補正方法】削除
【補正の内容】
【手続補正３８】
【補正対象書類名】明細書
【補正対象項目名】００４１
【補正方法】削除
【補正の内容】
【手続補正３９】
【補正対象書類名】明細書
【補正対象項目名】００４２
【補正方法】削除
【補正の内容】
【手続補正４０】
【補正対象書類名】明細書
【補正対象項目名】００４３
【補正方法】削除
【補正の内容】
【手続補正４１】
【補正対象書類名】明細書
【補正対象項目名】００４４
【補正方法】削除
【補正の内容】
【手続補正４２】
【補正対象書類名】明細書
【補正対象項目名】００４５
【補正方法】削除
【補正の内容】
【手続補正４３】
【補正対象書類名】明細書
【補正対象項目名】００４６
【補正方法】削除
【補正の内容】
【手続補正４４】
【補正対象書類名】明細書
【補正対象項目名】００４７
【補正方法】削除
【補正の内容】
【手続補正４５】
【補正対象書類名】明細書
【補正対象項目名】００４８
【補正方法】削除
【補正の内容】
【手続補正４６】
【補正対象書類名】明細書
【補正対象項目名】００４９
【補正方法】削除
【補正の内容】
【手続補正４７】
【補正対象書類名】明細書
【補正対象項目名】００５０
【補正方法】削除
【補正の内容】
【手続補正４８】
【補正対象書類名】明細書
【補正対象項目名】００５１
【補正方法】削除
【補正の内容】
【手続補正４９】
【補正対象書類名】明細書
【補正対象項目名】００５２
【補正方法】削除
【補正の内容】
【手続補正５０】
【補正対象書類名】明細書
【補正対象項目名】００５３
【補正方法】削除
【補正の内容】
【手続補正５１】
【補正対象書類名】明細書
【補正対象項目名】００５４
【補正方法】削除
【補正の内容】
【手続補正５２】
【補正対象書類名】明細書
【補正対象項目名】００５５
【補正方法】削除
【補正の内容】
【手続補正５３】
【補正対象書類名】明細書
【補正対象項目名】００５６
【補正方法】削除
【補正の内容】
【手続補正５４】
【補正対象書類名】明細書
【補正対象項目名】００５７
【補正方法】削除
【補正の内容】
【手続補正５５】
【補正対象書類名】明細書
【補正対象項目名】００５８
【補正方法】削除
【補正の内容】
【手続補正５６】
【補正対象書類名】明細書
【補正対象項目名】００５９
【補正方法】削除
【補正の内容】
【手続補正５７】
【補正対象書類名】明細書
【補正対象項目名】００６０
【補正方法】削除
【補正の内容】
【手続補正５８】
【補正対象書類名】明細書
【補正対象項目名】００６１
【補正方法】削除
【補正の内容】
【手続補正５９】
【補正対象書類名】明細書
【補正対象項目名】００６２
【補正方法】削除
【補正の内容】
【手続補正６０】
【補正対象書類名】明細書
【補正対象項目名】００６３
【補正方法】削除
【補正の内容】
【手続補正６１】
【補正対象書類名】明細書
【補正対象項目名】００６４
【補正方法】削除
【補正の内容】
【手続補正６２】
【補正対象書類名】明細書
【補正対象項目名】００６５
【補正方法】削除
【補正の内容】
【手続補正６３】
【補正対象書類名】明細書
【補正対象項目名】００６６
【補正方法】削除
【補正の内容】
【手続補正６４】
【補正対象書類名】明細書
【補正対象項目名】００６７
【補正方法】削除
【補正の内容】
【手続補正６５】
【補正対象書類名】明細書
【補正対象項目名】００７０
【補正方法】変更
【補正の内容】
【００７０】
配信センタ２には、音楽データを集めたデータベース（以下、「ＤＢ」と略称する）である音楽ＤＢ５や利用者についての情報を蓄積しているユーザ情報６が設けられている。配信センタ２は、利用者から要求される音楽データが音楽ＤＢ５に含まれているか、複数の店舗３Ａ，３Ｂ，３Ｃ（以下、総称するときは「３」のみを参照符として付すこともある）に在庫しているかなどを調べる。配信センタ２が店舗３の在庫を調べる際には、インターネット４を介するデータ通信を利用する。複数の店舗３Ａ，３Ｂ，３Ｃ間は、インターネット４や専用の通信回線７を介してデータ通信可能であり、少なくとも一部、たとえば店舗３Ｃには音楽ＤＢ８を備えており、他の店舗３Ａ，３Ｂに音楽ＤＢ８から音楽データを転送することができる。
【手続補正６６】
【補正対象書類名】明細書
【補正対象項目名】００８２
【補正方法】変更
【補正の内容】
【００８２】
また利用者は、図２に示すように、リクエストデータ２０に、配信センタ２へのデータ通信についての通信条件情報などの通信情報２５を含めて送信することができる。図５のステップｂ２で最適な受信手段を選択する際には、図３のステップｓ２で示したように、通信情報２５が利用される。通信情報２５には、たとえばデータ転送速度や現状のトラフィック量などを含めるので、配信センタ２では音楽データ１０を直接転送する場合に要する時間などを予測することができ、直接配信するか店舗３を案内するかの判断に利用することができる。